(57)【要約】【課題】端子金具の保持力を向上することが可能な可能なコネクタを提供する。【解決手段】電線Ｗの端末部に接続される端子金具１０と、前記端子金具１０が収容されるハウジング２０と、を備え、前記端子金具１０は筒状をなす本体部１３を有し、前記本体部１３には前記ハウジング２０に設けられた樹脂ランス２４が後方から係止可能なランス係止部１８が設けられ、前記ランス係止部１８のうち前記本体部１３の外周面側に位置する外側縁部１８Ｓには、前記ランス係止部１８のうち前記本体部１３の内周面側に位置する内側縁部１８Ｕよりも前方に退避した逃げ部１９が設けられ、前記ハウジング２０には、前記樹脂ランス２４の係止解除方向の弾性変位を制限するリテーナ２７が装着されている。【選択図】図３
2016129088.tif 000002
【特許請求の範囲】
【請求項１】
電線の端末部に接続される端子金具と、
前記端子金具が収容されるハウジングと、を備え、
前記端子金具は筒状をなす本体部を有し、前記本体部には前記ハウジングに設けられた樹脂ランスが後方から係止可能なランス係止部が設けられ、
前記ランス係止部のうち前記本体部の外周面側に位置する外側縁部には、前記ランス係止部のうち前記本体部の内周面側に位置する内側縁部よりも前方に退避した逃げ部が設けられ、
前記ハウジングには、前記樹脂ランスの係止解除方向の弾性変位を制限するリテーナが装着されているコネクタ。
【請求項２】
前記逃げ部が、前記ランス係止部のうち前記樹脂ランスの幅寸法に合わせた最小限の範囲に設けられている請求項１に記載のコネクタ。
【請求項３】
前記逃げ部が、前記外側縁部を叩いて形成されている請求項１または請求項２に記載のコネクタ。
【請求項４】
前記ランス係止部が、前記内周面側から前記外周面側に打ち抜いて形成されている請求項１ないし請求項３のいずれか一項に記載のコネクタ。
【発明の詳細な説明】
【技術分野】
【０００１】
本発明は、コネクタに関する。
【背景技術】
【０００２】
従来、電線の端末部に接続された端子金具がハウジングに収容されてなるコネクタが知られている。ハウジングに収容された端子金具は、ハウジングに設けられた樹脂ランスに係止されて抜け止めされる。例えば下記特許文献１に記載のコネクタにおいては、端子金具の角筒部の後端に、樹脂ランスが後方から係止するランス係止面が設けられている。そして、電線が強い力で引っ張られたときには、ランス係止面の外縁（角筒部の外周面側の縁）の角部が樹脂ランスに引っ掛かって樹脂ランスの係止状態が保持されるようになっている。これにより、コネクタの端子金具の保持力が高められている。
【先行技術文献】
【特許文献】
【０００３】
【特許文献１】特開２００３−２７２７４４号公報
【発明の概要】
【発明が解決しようとする課題】
【０００４】
しかしながら、上記のような構成では、樹脂ランスのうちランス係止面の外縁が引っ掛かる箇所に応力が集中するため、非常に強い力で電線が引っ張られると樹脂ランスが破壊されてしまう虞があった。このため、樹脂ランスへの応力集中を防いで端子金具の保持力を向上することが望まれた。
【０００５】
本発明は上記のような事情に基づいて完成されたものであって、端子金具の保持力を向上することが可能なコネクタを提供することを目的とする。
【課題を解決するための手段】
【０００６】
本発明のコネクタは、電線の端末部に接続される端子金具と、前記端子金具が収容されるハウジングと、を備え、前記端子金具は筒状をなす本体部を有し、前記本体部には前記ハウジングに設けられた樹脂ランスが後方から係止可能なランス係止部が設けられ、前記ランス係止部のうち前記本体部の外周面側に位置する外側縁部には、前記ランス係止部のうち前記本体部の内周面側に位置する内側縁部よりも前方に退避した逃げ部が設けられ、前記ハウジングには、前記樹脂ランスの係止解除方向の弾性変位を制限するリテーナが装着されている。
【発明の効果】
【０００７】
本発明によれば、ランス係止部の外側縁部に逃げ部が設けられていることで、樹脂ランスに応力が集中することを防ぐことができ、またリテーナにより樹脂ランスの係止解除方向の弾性変位が制限されるから、端子金具の保持力を向上することができる。
【図面の簡単な説明】
【０００８】
【図１】本実施例における端子金具であって、電線の端末部に接続されている状態を示す平面図
【図２】コネクタを示す断面図
【図３】樹脂ランスがランス係止部に係止した状態を示すコネクタの一部拡大断面図
【発明を実施するための形態】
【０００９】
本発明の好ましい形態を以下に示す。
本発明のコネクタは、前記逃げ部が、前記ランス係止部のうち前記樹脂ランスの幅寸法に合わせた最小限の範囲に設けられているものとしてもよい。このような構成によれば、必要最小限の加工によって、逃げ部を形成することができる。
【００１０】
また、本発明のコネクタは、前記逃げ部が、前記外側縁部を叩いて形成されているものとしてもよい。
また、本発明のコネクタは、前記ランス係止部が、前記内周面側から前記外周面側に打ち抜いて形成されているものとしてもよい。
【００１１】
＜実施例＞
以下、本発明を具体化した一実施例について、図１〜図３を参照しつつ詳細に説明する。
本実施例におけるコネクタＣは、電線Ｗの端末部に接続される端子金具１０と、端子金具１０が収容されるハウジング２０と、を備えている。端子金具１０は、コネクタＣが図示しない相手側コネクタと嵌合した時に、相手側コネクタに備えられた雌型の端子金具に接続される雄型の端子金具である。以下、各構成部材において、図２の左側（相手側コネクタとの嵌合面側）を前方、右側を後方、上側を上方、下側を下方として説明する。
【００１２】
ハウジング２０は合成樹脂製であって、内部に端子金具１０が収容されるブロック状をなす端子収容部２１と、端子収容部２１の外周を包囲して前方に突出する筒状のフード部２２とを備えている。
【００１３】
端子収容部２１には、端子金具１０が個別に収容されるキャビティ２３が複数設けられている。キャビティ２３は、上下２段にわけて設けられ、各段には幅方向に一対ずつ並べられている。
【００１４】
各キャビティ２３の壁面には、樹脂ランス２４が前方に突出して形成されている。樹脂ランス２４は、上下のキャビティ２３の間の隔壁２５に設けられ、すなわち上段のキャビティ２３では下壁に、下段のキャビティ２３では上壁に設けられている。
【００１５】
樹脂ランス２４は、隔壁２５から前方に片持ち状をなして延びる延出部２４Ａと、延出部２４Ａの上面または下面に突設された係止突部２４Ｂとを備えている。樹脂ランス２４は、延出部２４Ａの根元部（後端部）を支点として上下方向に弾性撓み可能とされている。
【００１６】
係止突部２４Ｂは、延出部２４Ａの前後方向の中間部に設けられている。係止突部２４Ｂの前面は、端子金具１０の挿抜方向に対して略直角に交差する係止面２６とされている。係止面２６の高さ寸法（係止突部２４Ｂの突出寸法）は、端子金具１０を構成する金属板材を２枚重ねた板厚寸法と同等の寸法とされている。
【００１７】
フード部２２は、端子収容部２１との間に所定の間隔をあけて設けられ、端子収容部２１よりも前方に突出している。フード部２２の内側であって端子収容部２１の前側に、相手側コネクタが嵌合するものとされている。
【００１８】
ハウジング２０には、樹脂ランス２４の係止解除方向の弾性変位（撓み空間Ｓ側への弾性変位）を制限するリテーナ２７が装着されている。リテーナ２７は、端子収容部２１とは別体に形成されて、端子収容部２１の前面側に装着されるフロントリテーナである。
【００１９】
リテーナ２７は合成樹脂製であって、全体としてキャップ状をなし、樹脂ランス２４の撓み空間Ｓに前方から進入可能な撓み制限部２８を有している。撓み制限部２８は、撓み空間Ｓを埋めて樹脂ランス２４の係止解除方向の弾性変位を制限する。
【００２０】
電線Ｗの端末部に接続された端子金具１０をキャビティ２３に後方から挿入すると、端子金具１０が樹脂ランス２４の係止突部２４Ｂを押して樹脂ランス２４を撓み空間Ｓに弾性的に撓ませ、端子金具１０が正規の位置に至ると、樹脂ランス２４が弾性復帰して係止突部２４Ｂが端子金具１０のランスホール１７に嵌り込む。これにより、端子金具１０が樹脂ランス２４によって一次的に抜け止めされる。その後、ハウジング２０に装着されたリテーナ２７の撓み制限部２８によって樹脂ランス２４の係止解除方向の変位が制限され、端子金具１０が二次的に抜け止めされる。
【００２１】
端子金具１０は導電性の金属板材を曲げ加工等して一体に成形され、全体として前後方向に細長い形状をなしている。端子金具１０の後端部には、電線Ｗの端末部に接続される電線接続部１１が設けられ、前端部には、相手側の端子金具に接触して接続される扁平板状のタブ部１２が設けられている。そして、端子金具１０の前後方向の中間部には、電線接続部１１とタブ部１２との間をつなぐ本体部１３が設けられている。
電線接続部１１は、電線Ｗの端末部が圧着されるオープンバレル状をなし、底板１４の両側縁から突出する一対のバレル片１１Ａを有している（図１参照）。
【００２２】
本体部１３は筒状をなし、底板１４とその両側縁から立ち上がる一対の側板１５と、各側板１５の立ち上がり端から略直角に屈曲されて底板１４と略平行に配される天井板１６とを有している。なお、底板１４は、電線接続部１１に至るまで後方に延びている。
【００２３】
天井板１６は、図３に示すように、本体部１３の前端部においては２枚の金属板材が重ねられた形態をなしている。そして、天井板１６の前後方向の中間部には、樹脂ランス２４の係止突部２４Ｂが嵌合可能なランスホール１７が形成されている。ランスホール１７は、天井板１６を部分的に切り起こして形成されている。ランスホール１７を形成するために折り返された部分は本体部１３内部に天井板１６から斜め後方に傾斜し、その先端が底板１４に当接または近接して配されている。
【００２４】
ランスホール１７は、樹脂ランス２４の係止突部２４Ｂが入り込み可能な大きさの前後方向に若干長い長方形状をなして天井板１６を貫通している。そして、ランスホール１７の周縁部のうち前側の縁部が、樹脂ランス２４が後方から係止可能なランス係止部１８とされている。
【００２５】
ランス係止部１８のうち本体部１３の外周面側に位置する外側縁部１８Ｓは、図３に示すように、ランス係止部１８のうち本体部１３の内周面側に位置する内側縁部１８Ｕよりも前方に退避した逃げ部１９とされている。逃げ部１９は、ランス係止部１８の外側の角部を切り取った形態の傾斜したテーパ面とされている。
【００２６】
逃げ部１９は、ランス係止部１８のうち樹脂ランス２４の幅寸法に合わせた最小限の範囲に設けられている。詳しくは、逃げ部１９は、ランスホール１７の全幅のうち両端部には形成されず、中央部（天井板１６と側板１５との間の屈曲部１７Ｋと、ランスホール１７の角部の丸み部１７Ｍとを除く部分）に形成されている（図１参照）。
【００２７】
ランス係止部１８は、内周面側から外周面側に打ち抜いて形成されており、逃げ部１９は、ランス係止部１８の外側縁部１８Ｓを叩いて形成される。逃げ部１９が形成されることにより、外側縁部１８Ｓの角部は面取りされた形状になる。なお、ランス係止部１８の打ち抜き方向はいずれの方向であっても構わない。
【００２８】
次に、本実施例のコネクタＣにおいて端子金具１０の保持力を測定した実験結果について説明する。
この実験では、ランス係止部１８に逃げ部１９が形成されていない端子金具（以後、従来の端子金具と称する）と、逃げ部１９が形成された端子金具１０とを用いてそれぞれの保持力を測定した。具体的には、電線Ｗの端末部に接続した従来の端子金具または端子金具１０をハウジング２０に収容し、リテーナ２７をハウジング２０に装着した状態で、電線Ｗを一定速度（本実施例では５０ｍｍ／ｍｉｎ）で後方に引っ張り、従来の端子金具または端子金具１０が抜けたときの荷重を読み取る実験をそれぞれ複数回ずつ行った。
【００２９】
その実験結果は以下の通りであった。従来の端子金具の保持力は、最小値が８０．２Ｎ、最大値が９５．２Ｎ、平均値（相加平均）が８６．９Ｎであった。これに対し、端子金具１０の保持力は、最小値が９４．８Ｎ、最大値が１０７．０Ｎ、平均値が９８．６Ｎであった。この実験結果により、端子金具１０の保持力が、従来の端子金具の保持力に比して著しく（約１０Ｎ）高いことが確認された。
【００３０】
なお、従来の端子金具がハウジング２０から抜け出したときには、樹脂ランス２４の一部がきれいに切り取られてなくなる等の破壊形態が多く見られた。これに対し、端子金具１０がハウジング２０から抜け出したときには、樹脂ランス２４の一部が従来の端子金具の場合のようにきれいに切り取られることなく、大きく変形した状態で残されている等の破壊形態が多く見られた。
【００３１】
次に、上記のように構成された実施例の作用および効果について説明する。
本実施例のコネクタＣは、電線Ｗの端末部に接続される端子金具１０と、端子金具１０が収容されるハウジング２０と、を備え、端子金具１０は筒状をなす本体部１３を有し、本体部１３にはハウジング２０に設けられた樹脂ランス２４が後方から係止可能なランス係止部１８が設けられ、ランス係止部１８のうち本体部１３の外周面側に位置する外側縁部１８Ｓには、ランス係止部１８のうち本体部１３の内周面側に位置する内側縁部１８Ｕよりも前方に退避した逃げ部１９が設けられ、ハウジング２０には、樹脂ランス２４の係止解除方向の弾性変位を制限するリテーナ２７が装着されている。
【００３２】
この構成によれば、ランス係止部１８の外側縁部１８Ｓに逃げ部１９が設けられていることで、樹脂ランス２４に応力が集中することを防ぐことができ、またリテーナ２７により樹脂ランス２４の係止解除方向の弾性変位が制限されるから、端子金具１０の保持力を向上することができる。
【００３３】
また、逃げ部１９が、ランス係止部１８のうち樹脂ランス２４の幅寸法に合わせた最小限の範囲に設けられている。この構成によれば、必要最小限の加工によって、逃げ部１９を形成することができる。
【００３４】
＜他の実施例＞
本発明は上記記述及び図面によって説明した実施例に限定されるものではなく、例えば次のような実施例も本発明の技術的範囲に含まれる。
（１）上記実施例では、端子金具１０の本体部１３にランスホール１７が設けられ、その前側の縁部がランス係止部１８である場合について説明したが、これに限らず、本発明は、例えば端子金具の本体部にランスホールが設けられておらず、本体部の後端がランス係止部とされた端子金具にも適用することができる。
（２）上記実施例では、端子金具１０が雄型の端子金具である場合について説明したが、これに限らず、本発明は雌型の端子金具にも適用することができる。
（３）上記実施例では、逃げ部１９が、ランス係止部１８の全幅のうち両端部を除く中央部に形成されているが、これに限らず、逃げ部を、例えばランス係止部の複数個所に間隔をあけて形成してもよい。
【符号の説明】
【００３５】
Ｃ…コネクタ
Ｗ…電線
１０…端子金具
１３…本体部
１８…ランス係止部
１８Ｓ…外側縁部
１８Ｕ…内側縁部
１９…逃げ部
２０…ハウジング
２４…樹脂ランス
２７…リテーナ
【図１】
2016129088.tif 000003
【図２】
2016129088.tif 000004
【図３】
2016129088.tif 000005